(57)【要約】【課題】ユーザーによって使用される見込みである機能のみ、省電力モードから復帰させ、消費電力を極力少なくする。【解決手段】無線通信手段を含む複数のモジュールを有し、該モジュールの動作を組み合わせて複数の機能を実現する画像形成装置と、画像形成装置で実現される複数の機能のうちのいずれかの機能を示す機能情報を記憶し、画像形成装置の無線通信手段と通信可能な距離である場合には、機能情報を無線通信手段に送信する記憶装置とを具備し、画像形成装置は、無線通信手段が記憶装置から機能情報を受信すると、機能情報によって示される機能に必要なモジュールを省電力モードから復帰させる制御手段を具備する。【選択図】図１
2015032901.tif 000002
【特許請求の範囲】
【請求項１】
無線通信手段を含む複数のモジュールを有し、該モジュールの動作を組み合わせて複数の機能を実現する画像形成装置と、
前記画像形成装置で実現される複数の機能のうちのいずれかの機能を示す機能情報を記憶し、前記画像形成装置の前記無線通信手段と通信可能な距離である場合には、前記機能情報を前記無線通信手段に送信する記憶装置とを具備し、
前記画像形成装置は、
前記無線通信手段が前記記憶装置から前記機能情報を受信すると、前記機能情報によって示される機能に必要な前記モジュールを省電力モードから復帰させる制御手段を具備することを特徴とする画像形成システム。
【請求項２】
前記機能情報及び個人を識別するための識別情報を記憶し、前記機能情報と共に前記識別情報を前記画像形成装置の前記無線通信手段に送信する前記記憶装置である第１記憶装置と、
前記機能情報のみを記憶し、前記機能情報を前記無線通信手段に送信する前記記憶装置である第２記憶装置とを備え、
前記画像形成装置の前記制御手段は、前記無線通信手段が前記第１記憶装置及び前記第２記憶装置両方から前記機能情報を受信した場合には、前記第２記憶装置から受信した前記機能情報によって示される機能のみに必要な前記モジュールを省電力モードから復帰させることを特徴とする請求項１に記載の画像形成システム。
【請求項３】
前記制御手段は、前記無線通信手段が複数の前記第２記憶装置から前記機能情報を受信した場合には、複数の前記第２記憶装置から受信した前記機能情報によって示される機能に必要なモジュールを省電力モードから復帰させることを特徴とする請求項２に記載の画像形成システム。
【請求項４】
前記記憶装置の前記機能情報は、書き換え可能であることを特徴とする請求項１〜３のいずれか一項に記載の画像形成システム。
【発明の詳細な説明】
【技術分野】
【０００１】
本発明は、画像形成システムに関する。
【背景技術】
【０００２】
下記特許文献１には、装置に接近する人のうち、使用するために接近する人を判断し、使用するために接近する人であると判断した場合には、省電力モードを自動的に解除して、操作上の利便性を向上させる画像形成装置が開示されている。
【先行技術文献】
【特許文献】
【０００３】
【特許文献１】特開平６−１８９０４８号公報
【発明の概要】
【発明が解決しようとする課題】
【０００４】
ところで、上記従来技術では、使用するために接近した人（ユーザー）を検知すると、当該ユーザーがどの機能を使用するのかということを考慮せず、画像形成装置のあらゆる機能を省電力モードから復帰させる。つまり、上記従来技術では、ユーザーがスキャナ機能だけを使用する場合でも、印刷機能を省電力モードから復帰させて、必要の無い印刷ウォームアップ処理を行うので、無駄な電力を消費するという問題があった。
【０００５】
本発明は、上述した事情に鑑みてなされたものであり、ユーザーによって使用される見込みである機能のみ、省電力モードから復帰させ、消費電力を極力少なくすることを目的とする。
【課題を解決するための手段】
【０００６】
上記目的を達成するために、本発明では、第１の解決手段として、無線通信手段を含む複数のモジュールを有し、該モジュールの動作を組み合わせて複数の機能を実現する画像形成装置と、前記画像形成装置で実現される複数の機能のうちのいずれかの機能を示す機能情報を記憶し、前記画像形成装置の前記無線通信手段と通信可能な距離である場合には、前記機能情報を前記無線通信手段に送信する記憶装置とを具備し、前記画像形成装置は、前記無線通信手段が前記記憶装置から前記機能情報を受信すると、前記機能情報によって示される機能に必要な前記モジュールを省電力モードから復帰させる制御手段を具備する、という手段を採用する。
【０００７】
本発明では、第２の解決手段として、上記第１の解決手段において、前記機能情報及び個人を識別するための識別情報を記憶し、前記機能情報と共に前記識別情報を前記画像形成装置の前記無線通信手段に送信する前記記憶装置である第１記憶装置と、
前記機能情報のみを記憶し、前記機能情報を前記無線通信手段に送信する前記記憶装置である第２記憶装置とを備え、前記画像形成装置の前記制御手段は、前記無線通信手段が前記第１記憶装置及び前記第２記憶装置両方から前記機能情報を受信した場合には、前記第２記憶装置から受信した前記機能情報によって示される機能のみに必要な前記モジュールを省電力モードから復帰させる、という手段を採用する。
【０００８】
本発明では、第３の解決手段として、上記第２の解決手段において、前記制御手段は、前記無線通信手段が複数の前記第２記憶装置から前記機能情報を受信した場合には、複数の前記第２記憶装置から受信した前記機能情報によって示される機能に必要なモジュールを省電力モードから復帰させる、という手段を採用する。
【０００９】
本発明では、第４の解決手段として、上記第１〜第３のいずれか１つの解決手段において、前記記憶装置の前記機能情報は、書き換え可能である、という手段を採用する。
【発明の効果】
【００１０】
本発明によれば、画像形成装置で実現される複数の機能のうちのいずれかの機能を示す機能情報を記憶し、画像形成装置の無線通信手段と通信可能な距離である場合には、機能情報を無線通信手段に送信する記憶装置と、無線通信手段が記憶装置から機能情報を受信すると、機能情報によって示される機能に必要なモジュールを省電力モードから復帰させる画像形成装置とを具備することよって、ユーザーによって使用される見込みである機能のみ、省電力モードから復帰させ、消費電力を極力少なくできる。
【図面の簡単な説明】
【００１１】
【図１】本発明の一実施形態に係る複合機Ａの機能ブロック図である。
【図２】本発明の一実施形態における画像形成部４の機械構成を示す模式図である。
【図３】本発明の一実施形態に係る複合機Ａの動作を示すフローチャートである。
【図４】本発明の一実施形態に係る複合機Ａの動作を示す模式図である。
【発明を実施するための形態】
【００１２】
以下、図面を参照して、本発明の一実施形態について説明する。
本実施形態に係る画像形成システムＳは、図１に示すように、複合機Ａ（画像形成装置）、第１非接触ＩＣ（Integrated Circuit）カードＢ（第１記憶装置）及び第２非接触ＩＣカードＣ（第２記憶装置）から構成されている。
複合機Ａは、電子写真方式に基づいて記録紙に画像を形成する画像形成装置であり、図１に示すように、操作表示部１、画像読取部２、画像データ記憶部３、画像形成部４、通信部５、カードリーダー６（無線通信手段）及び演算制御部７（制御手段）を備える。なお、図１における実線矢印は、画像データの流れ示し、点線矢印は、制御信号や検出信号の流れを示す。
【００１３】
操作表示部１は、操作表示制御部１１、ハードウェアキーである操作キー１２及びソフトウェアキーや各種画像を表示するタッチパネル１３を備えており、ユーザーと複合機Ａとを関係付けるマンマシンインターフェイスとして機能する。
操作表示制御部１１は、演算制御部７による制御の下で、上記操作キー１２及びタッチパネル１３を制御する制御装置であり、演算処理装置、内部メモリー及び電気的に相互接続された操作キー１２及びタッチパネル１３と信号の送受信を行うインターフェイス回路等から構成されており、内部メモリーに記憶された操作表示制御プログラムに基づいて操作表示部１の全体動作を制御する。
【００１４】
例えば、この操作表示制御部１１は、タッチパネル１３に表示信号を出力することによりタッチパネル１３に操作ボタンや各種画像を表示させる。また、操作表示制御部１１は、操作キー１２またはタッチパネル１３から入力される操作信号に基づいていずれの操作キー１２またはタッチパネル１３に表示される操作ボタンが操作されたか判定し、判定結果に基づいて操作結果信号を演算制御部７に出力する。
【００１５】
操作キー１２は、ハードウェアキーとして操作表示部１に物理的に備えられたものであり、例えば、電源キー、スタートキー、ストップ／クリアキー及びテンキー（数値入力キー）等がある。操作キー１２では、ユーザーによって上述した各キーが押下されると、各キーから操作信号を操作表示制御部１１に出力する。
【００１６】
タッチパネル１３は、周知のように表示パネルの表示面に抵抗膜方式等の透明な面状押圧センサーを設けたものであり、操作表示制御部１１から入力される表示信号に基づいて表示パネルに表示した操作ボタンをユーザーの指等によって押圧されると、面状押圧センサーが押圧位置（押圧座標）を示す操作信号を操作表示制御部１１に出力するものである。
【００１７】
画像読取部２は、図２に示すようにＡＤＦ（Automatic document feeder：自動原稿送り装置）２０及びフラットベッド読取部３０から構成されており、演算制御部７から入力される制御信号に基づいてＡＤＦ２０により給紙される原稿またはユーザーによりフラットベッド読取部３０上に載置された原稿の表面画像（原稿画像）を読み取って原稿画像データに変換し、この原稿画像データを画像データ記憶部３に出力する。
【００１８】
画像データ記憶部３は、半導体メモリーまたはハードディスク装置等であり、演算制御部７から入力される制御信号に基づいて上記原稿画像データ、通信部５が外部のクライアントコンピューターから受信するプリント画像データあるいは通信部５が外部のファクシミリ装置等から受信するファクシミリ画像データを記憶すると共に、これら画像データを演算制御部７から入力される制御信号に基づいて読み出して画像形成部４に出力する。
【００１９】
画像形成部４は、演算制御部７から入力される制御信号に基づいて、給紙カセット４５から取り出した記録紙Ｒに画像データ記憶部３から読み出した画像データに基づくトナー画像を画像形成するものである。この画像形成部４は、図２に示すように、ベルトローラー４１、中間転写ベルト４２、トナーの各色（Ｙ，Ｍ，Ｃ，Ｋ）に対応する４つの画像形成ユニット４３Ｙ，４３Ｃ，４３Ｍ，４３Ｋ、１次転写ローラー４４Ｙ，４４Ｃ，４４Ｍ，４４Ｋ、給紙カセット４５、ピックアップローラー４６、搬送ローラー４７、レジストローラー４８、２次転写ローラー４９、分離除電部５０、定着ローラー５１、排紙ローラー５２、排紙トレイ５３、反転ローラー５４、分岐ガイド５５、３対の反転紙搬送ローラー５６及び記録紙センサー５７を備えている。
【００２０】
ベルトローラー４１は、図示するように、離間して配設された３つのローラー、つまり駆動ローラー４１ａ、従動ローラー４１ｂ及びテンションローラー４１ｃからなる。すなわち、駆動ローラー４１ａと従動ローラー４１ｂとは水平方向に一定距離を空けて配置され、テンションローラー４１ｃは、このような駆動ローラー４１ａと従動ローラー４１ｂとの間かつ若干上方に変位した位置に配置されている。中間転写ベルト４２は、このようなベルトローラー４１（駆動ローラー４１ａ、従動ローラー４１ｂ、テンションローラー４１ｃ）に架け渡された無端ベルトであり、駆動ローラー４１ａによって矢印で示す方向に走行する。
【００２１】
すなわち、中間転写ベルト４２は、駆動ローラー４１ａと従動ローラー４１ｂとの間においては水平方向に走行する。また、上述した駆動ローラー４１ａは、駆動力を発生するモーターが軸結合されたローラーであり、モーターの動力によって中間転写ベルト４２を矢印方向に走行させる。上記従動ローラー４１ｂは、自由回転するように設けられたフリーローラーであり、中間転写ベルト４２を駆動ローラー４１ａの動力に従って案内する。また、上記テンションローラー４１ｃは、回転軸が可動可能に設けられ、所定の付整力で中間転写ベルト４２を押圧することにより一定のテンション（張力）を中間転写ベルト４２に付与するローラーである。
【００２２】
画像形成ユニット４３Ｙ，４３Ｃ，４３Ｍ，４３Ｋは、図示するように、上述した中間転写ベルト４２の水平走行部位に所定間隔を空けて設けられている。これら画像形成ユニット４３Ｙ，４３Ｃ，４３Ｍ，４３Ｋのうち、画像形成ユニット４３Ｙは、イエロー（Ｙ）のトナー画像を形成するユニットであり、従動ローラー４１ｂに最も近い位置に設けられている。画像形成ユニット４３Ｃは、シアン（Ｃ）のトナー画像を形成するユニットであり、上記画像形成ユニット４３Ｙの次に従動ローラー４１ｂに近い位置に設けられている。画像形成ユニット４３Ｍは、マゼンダ（Ｍ）のトナー画像を形成するユニットであり、上記画像形成ユニット４３Ｃの次に従動ローラー４１ｂに近い位置に設けられている。画像形成ユニット４３Ｋは、ブラック（Ｋ）のトナー画像を形成するユニットであり、駆動ローラー４１ａに最も近い位置に設けられている。
【００２３】
このような画像形成ユニット４３Ｙ，４３Ｃ，４３Ｍ，４３Ｋは、各々に感光体ドラムａｙ，ａｃ，ａｍ，ａｋ、帯電部ｂｙ，ｂｃ，ｂｍ，ｂｋ、レーザースキャニングユニットｃｙ，ｃｃ，ｃｍ，ｃｋ、現像ユニットｄｙ，ｄｃ，ｄｍ，ｄｋ及びクリーナーｅｙ，ｅｃ，ｅｍ，ｅｋを構成要素としている。
【００２４】
すなわち、画像形成ユニット４３Ｙは、感光体ドラムａｙ、帯電部ｂｙ、レーザースキャニングユニットｃｙ、現像ユニットｄｙ及びクリーナーｅｙから構成され、画像形成ユニット４３Ｃは、感光体ドラムａｃ、帯電部ｂｃ、レーザースキャニングユニットｃｃ、現像ユニットｄｃ及びクリーナーｅｃから構成され、画像形成ユニット４３Ｍは、感光体ドラムａｍ、帯電部ｂｍ、レーザースキャニングユニットｃｍ、現像ユニットｄｍ及びクリーナーｅｍから構成され、画像形成ユニット４３Ｋは、感光体ドラムａｋ、帯電部ｂｋ、レーザースキャニングユニットｃｋ、現像ユニットｄｋ及びクリーナーｅｋから構成されている。
【００２５】
各感光体ドラムａｙ，ａｃ，ａｍ，ａｋは、周面が所定の感光体材料（例えばアモルファスシリコン）で形成された円筒部材である。各帯電部ｂｙ，ｂｃ，ｂｍ，ｂｋは、各感光体ドラムａｙ，ａｃ，ａｍ，ａｋの周面（感光面）を均一に帯電させるものである。各レーザースキャニングユニットｃｙ，ｃｃ，ｃｍ，ｃｋは、帯電状態の上記感光面にレーザー光を照射することにより、感光面に静電潜像を形成するものである。
【００２６】
各現像ユニットｄｙ，ｄｃ，ｄｍ，ｄｋは、内部に所定の量のトナー（正極性トナー）を収容すると共に当該トナーを感光面に供給することにより当該感光面に形成された静電潜像をトナー画像として現像する。各クリーナーｅｙ，ｅｃ，ｅｍ，ｅｋは、トナー画像の転写後の感光面に残留するトナー（残留トナー）を掻き落として除去するものである。
【００２７】
１次転写ローラー４４Ｙ，４４Ｃ，４４Ｍ，４４Ｋは、図示するように画像形成ユニット４３Ｙ，４３Ｃ，４３Ｍ，４３Ｋに対応して４つ設けられており、各々に中間転写ベルト４２を挟んだ状態で各画像形成ユニット４３Ｙ，４３Ｃ，４３Ｍ，４３Ｋの感光体ドラムａｙ，ａｃ，ａｍ，ａｋに対向配置されている。また、各１次転写ローラー４４Ｙ，４４Ｃ，４４Ｍ，４４Ｋには負極性の１次転写バイアス（高電圧）が印加されており、各１次転写ローラー４４Ｙ，４４Ｃ，４４Ｍ，４４Ｋは、この１次転写バイアスの作用によって各画像形成ユニット４３Ｙ，４３Ｃ，４３Ｍ，４３Ｋの感光体ドラムａｙ，ａｃ，ａｍ，ａｋにそれぞれ形成された各色のトナー画像を中間転写ベルト４２に転写（１次転写）させる。
【００２８】
給紙カセット４５は、Ａ４サイズやＢ５サイズ等、所定形状の記録紙Ｒを複数枚重ねた状態で収容する容器である。ピックアップローラー４６は、給紙カセット４５の上部において記録紙Ｒに圧接するように設けられ、給紙カセット４５内の記録紙Ｒを１枚づつ取り出して搬送ローラー４７に送り出すローラーである。搬送ローラー４７は、ピックアップローラー４６から給紙された記録紙Ｒをレジストローラー４８に向けて搬送するローラーである。レジストローラー４８は、搬送ローラー４７から供給された記録紙Ｒを所定のタイミングで２次転写ローラー４９に供給するローラーである。
【００２９】
２次転写ローラー４９は、中間転写ベルト４２を挟んで駆動ローラー４１ａに対向配置されたローラーであり、中間転写ベルト４２上のトナー画像を記録紙Ｒに転写（２次転写）させるものである。この２次転写ローラー４９には、負極性の２次転写バイアス（高電圧）が印加されており、２次転写ローラー４９は、この２次転写バイアスの作用によって中間転写ベルト４２上のトナー画像を記録紙Ｒに転写（２次転写）させる。
【００３０】
分離除電部５０は、演算制御部７から入力される制御信号に基づいて記録紙Ｒに向けて正極性の除電バイアスを供給する。この除電バイアスは、記録紙Ｒの帯電を中和して無帯電状態にするためのものであり、記録紙Ｒの２次転写ローラー４９からの分離を良好にするものである。分離除電部５０は、ステンレスからなる鋸歯状電極を有し、この鋸歯状電極の先端付近に電界を形成して記録紙Ｒを除電する。
【００３１】
定着ローラー５１は、内部にヒータを備えた加熱ローラー５１ａと、当該加熱ローラー５１ａに圧接する加圧ローラー５１ｂとから構成されている。この定着ローラー５１は、加熱ローラー５１ａと加圧ローラー５１ｂとで各色のトナー画像が転写された記録紙Ｒを挟み込むことにより記録紙Ｒを加熱及び加圧して、各色のトナー画像を記録紙Ｒ上に定着させる。加熱ローラー５１ａ及び加圧ローラー５１ｂは、記録紙Ｒと接触する接触面（表面）が摩擦により負極性に帯電するフッ素系材料によって形成されている。すなわち、加熱ローラー５１ａ及び加圧ローラー５１ｂは、その表面が記録紙Ｒとの摩擦により負極性に帯電する。
【００３２】
排紙ローラー５２は、定着ローラー５１から搬送されると共に分岐ガイド５５により案内された記録紙Ｒを排紙トレイ５３に向けて搬送するローラーである。排紙トレイ５３は、排紙ローラー５２から供給された記録紙Ｒを収容・保持する収容部である。反転ローラー５４は、定着ローラー５１から搬送されると共に分岐ガイド５５により案内された記録紙Ｒをスイッチバック搬送するためのローラーである。つまり、反転ローラー５４は、正転することにより定着ローラー５１から供給された記録紙Ｒを挟み込み、当該挟みこんだ状態で逆転することにより記録紙Ｒを反転紙搬送ローラー５６に向けて搬送する。
【００３３】
分岐ガイド５５は、演算制御部７から入力される制御信号に基づいて定着ローラー５１から排出された記録紙Ｒの搬送先を排紙ローラー５２または反転ローラー５４に択一的に切り替える。つまり、分岐ガイド５５は、記録紙Ｒを排紙トレイ５３に排紙する場合には、第１の姿勢（図示する点線の姿勢）になることにより記録紙Ｒの搬送先を排紙ローラー５２とし、一方、第２の姿勢（図示する実線の姿勢）になることにより記録紙Ｒの搬送先を反転ローラー５４に切り替える。
【００３４】
反転紙搬送ローラー５６は、反転ローラー５４から供給された記録紙Ｒをレジストローラー４８に向けて搬送するための搬送経路（反転経路）に設けられたローラーである。この反転紙搬送ローラー５６は、図示するように、反転経路において離間した３箇所に設けられている。記録紙センサー５７は、定着ローラー５１と分岐ガイド５５との間に配置され、定着ローラー５１を通過した記録紙Ｒの枚数を検出し、当該枚数を示す検出信号を演算制御部７に出力する。
【００３５】
このように画像形成部４では、記録紙Ｒの表面と裏面とにトナー画像を形成する両面画像形成処理が、上記反転ローラー５４、分岐ガイド５５及び反転紙搬送ローラー５６が機能することにより実行される。つまり、記録紙Ｒは、表面に画像形成されて定着ローラー５１を通過すると、表面と裏面とが反転させられた状態でレジストローラー４８に再度供給されて、裏面に画像形成される。
【００３６】
通信部５は、演算制御部７から入力される制御信号に基づいて電話回線を介して外部の複合機あるいはファクシミリ装置、またＬＡＮ（Local Area Network）を介してクライアントコンピューター等と通信を行うものである。すなわち、この通信部５は、イーサネット（登録商標）等のＬＡＮ規格に準拠した通信機能と、Ｇ３等のファクシミリ規格に準拠した通信機能とを兼ね備えたものである。
【００３７】
カードリーダー６は、演算制御部７の制御の下、第１非接触ＩＣカードＢ及び第２非接触ＩＣカードＣと無線通信することによって、第１非接触ＩＣカードＢ及び第２非接触ＩＣカードＣから情報を受信し、受信した情報を演算制御部７に出力する。このようなカードリーダー６と、第１非接触ＩＣカードＢ及び第２非接触ＩＣカードＣとは、約１ｍの距離で通信可能な遠隔型の通信装置である。
【００３８】
上記第１非接触ＩＣカードＢは、各ユーザーによって常に携帯されるカードであり、例えば、会社の各社員（個人）を識別するための識別情報が登録された社員証等である。また、第１非接触ＩＣカードＢには、上記識別情報に加えて、複合機Ａで実現される機能、例えば、コピー機能、プリント機能、スキャン機能、ファクシミリ機能及びパネル操作機能等のいずれかの機能を示す機能情報が登録されている。例えば、第１非接触ＩＣカードＢには、各ユーザーにとって最も使用頻度の高い機能が機能情報として登録されている。この第１非接触ＩＣカードＢは、カードリーダー６と通信可能な距離である場合には、識別情報及び機能情報をカードリーダー６に送信する。
【００３９】
また、第２非接触ＩＣカードＣは、上記機能情報のみを記憶するカードである。例えば、第２非接触ＩＣカードＣは、上記第１非接触ＩＣカードＢのように各ユーザーによって常に携帯されるカードではなく、各部署で共有して使用されるカードである。例えば、各機能に対応した各第２非接触ＩＣカードＣが各部署に用意されている。この第２非接触ＩＣカードＣは、カードリーダー６と通信可能な距離である場合には、機能情報をカードリーダー６に送信する。第１非接触ＩＣカードＢや第２非接触ＩＣカードＣに記憶されている上記機能情報には、上述した機能に関する情報の他に、第１非接触ＩＣカードＢ及び第２非接触ＩＣカードＣのいずれに記憶されたものであることを示すカード種別情報が含まれている。
【００４０】
演算制御部７は、ＣＰＵ（Central Processing Unit）、ＲＯＭ（Read Only Memory）、ＲＡＭ（Random Access Memory）及び電気的に相互接続された各部と各種信号の送受信を行うインターフェイス回路等から構成されている。この演算制御部７は、上記ＲＯＭに記憶された各種演算制御プログラムに基づいて各種の演算処理を行うと共に各部と通信を行うことにより複合機Ａの全体動作を制御する。詳細については後述するが、演算制御部７は、カードリーダー６が第１非接触ＩＣカードＢや第２非接触ＩＣカードＣから機能情報を受信すると、機能情報によって示される機能に必要なモジュールを省電力モードから復帰させる。
【００４１】
なお、上記モジュールとは、コピー機能、プリント機能、スキャン機能、ファクシミリ機能及びパネル操作機能等の各機能を実現するために作成された複数の部品の集合体である。つまり、上記操作表示部１、画像読取部２、画像データ記憶部３、画像形成部４、通信部５、カードリーダー６及び演算制御部７それぞれは、モジュールである。
【００４２】
次に、このように構成された画像形成システムの複合機Ａの動作について説明する。
最初に本複合機Ａの全体動作を説明する。例えばユーザーがＡＤＦ２０に原稿をセットし、また操作表示部１を操作することによって記録紙Ｒの片面への原稿の複写（コピー）を指示すると、当該指示に関する指示信号は操作表示部１から演算制御部７に入力される。この結果、演算制御部７は、画像読取部２に原稿の頁毎に原稿画像を順次読み取らせると共に、当該原稿画像の原稿画像データを画像データ記憶部３に記憶させる。そして、演算制御部７は、上記原稿画像データに基づいて各トナー色に対応するビットマップ画像データをそれぞれ生成し、これらビットマップ画像データに基づいて原稿画像の画像形成処理を画像形成部４に実行させる。
【００４３】
すなわち、演算制御部７は、ピックアップローラー４６を駆動させて給紙カセット４５内の記録紙Ｒを１枚づつ取り出して搬送ローラー４７に送り出させると共に当該搬送ローラー４７を駆動させて記録紙Ｒをレジストローラー４８に向けて搬送させる。また、演算制御部７は、駆動ローラー４１ａを駆動させて中間転写ベルト４２を走行状態とすると共に、各画像形成ユニット４３Ｙ，４３Ｃ，４３Ｍ，４３Ｋを駆動させ、上述した各ビットマップ画像データに基づいて各色の正極性トナーからなるトナー画像を各感光体ドラムａｙ，ａｃ，ａｍ，ａｋの感光面（周面）に形成させる。そして、演算制御部７は、各１次転写ローラー４４Ｙ，４４Ｃ，４４Ｍ，４４Ｋに負極性の１次転写バイアスを印加させることによって、各感光体ドラムａｙ，ａｃ，ａｍ，ａｋのトナー画像を中間転写ベルト４２上に１次転写させる。
【００４４】
そして、演算制御部７は、画像形成ユニット４３Ｙ，４３Ｃ，４３Ｍ，４３Ｋにおける各色の画像形成の処理タイミングに合わせてレジストローラー４８を駆動させると共に２次転写ローラー４９に負極性の２次転写バイアスを印加させることによって、記録紙Ｒの所望位置に中間転写ベルト４２上のトナー画像（原稿画像）を２次転写させる。そして、演算制御部７は、分離除電部５０に正極性の除電バイアスを使用させて記録紙Ｒを除電しつつ、定着ローラー５１を駆動させると共に、分岐ガイド５５を第１の姿勢（図示する点線の姿勢）に切り替えさせることで記録紙Ｒを排紙ローラー５２に向けて搬送させる。そして、演算制御部７は、排紙ローラー５２を駆動させて記録紙Ｒを排紙トレイ５３に排出させる。
【００４５】
一方、演算制御部７は、ユーザーにより記録紙Ｒの両面への原稿の複写（コピー）が指示された場合には、定着ローラー５１を駆動させるまでの処理を上記処理と同様に進め、その後の処理を異ならせる。つまり、演算制御部７は、定着ローラー５１を駆動させると共に、分岐ガイド５５を第２の姿勢（図示する実線の姿勢）に切り替えさせることで記録紙Ｒを反転ローラー５４に向けて搬送させる。そして、演算制御部７は、反転ローラー５４を所定時間正回転させた後に、分岐ガイド５５を第１の姿勢に切り替えさせると共に、反転ローラー５４を逆回転させて記録紙Ｒを反転紙搬送ローラー５６に向けて搬送させる。そして、演算制御部７は、反転紙搬送ローラー５６を駆動させて、記録紙Ｒをレジストローラー４８に向けて搬送させる。
【００４６】
また、演算制御部７は、各色の正極性トナーからなるトナー画像を各感光体ドラムドラムａｙ，ａｃ，ａｍ，ａｋの感光面に形成させる。そして、演算制御部７は、各１次転写ローラー４４Ｙ，４４Ｃ，４４Ｍ，４４Ｋに負極性の１次転写バイアスを印加させることによって、各感光体ドラムドラムａｙ，ａｃ，ａｍ，ａｋのトナー画像を中間転写ベルト４２上に１次転写させる。そして、演算制御部７は、各１次転写ローラー４４Ｙ，４４Ｃ，４４Ｍ，４４Ｋに負極性の１次転写バイアスを印加させることによって、各感光体ドラムドラムａｙ，ａｃ，ａｍ，ａｋのトナー画像を中間転写ベルト４２上に１次転写させる。
【００４７】
そして、演算制御部７は、画像形成ユニット４３Ｙ，４３Ｃ，４３Ｍ，４３Ｋにおける各色の画像形成の処理タイミングに合わせてレジストローラー４８を駆動させると共に２次転写ローラー４９に負極性の２次転写バイアスを印加させることによって、記録紙Ｒの裏面の所望位置に中間転写ベルト４２上のトナー画像を２次転写させる。そして、演算制御部７は、分離除電部５０に正極性の除電バイアスを使用させて記録紙Ｒを除電させつつ供給させつつ、定着ローラー５１を駆動させると共に、分岐ガイド５５を第１の姿勢に切り替えさせることで記録紙Ｒを排紙ローラー５２に向けて搬送させる。そして、演算制御部７は、排紙ローラー５２を駆動させて記録紙Ｒを排紙トレイ５３に排出させる。
【００４８】
その後、演算制御部７は、所定時間ユーザーによって操作表示部１が操作されない、かつ所定時間通信部５が外部から画像データを受信しない場合には、最低限必要な電力のみを各モジュールに供給するように制御して、各モジュールを省電力モードに移行させる。
【００４９】
そして、演算制御部７は、各モジュールの省電力モードの制御において、以下の特徴的な処理（図３参照）を実行する。まず、演算制御部７は、各モジュールが省電力モードである場合、カードリーダー６が上述した機能情報を受信したか否か判定する（ステップＳ１）。なお、カードリーダー６は、第１非接触ＩＣカードＢ及び第２非接触ＩＣカードＣと１ｍ以下の距離となると、通信可能、つまり、機能情報を受信可能である。
【００５０】
演算制御部７は、カードリーダー６が機能情報を受信していない場合（ＮＯの場合）、各モジュールを継続して省電力モードで動作させ、上述したステップＳ１の判定処理を繰り返す。一方、演算制御部７は、カードリーダー６が機能情報を受信した場合（ＹＥＳの場合）、第１非接触ＩＣカードＢ及び第２非接触ＩＣカードＣ両方から機能情報を受信した否か判定する（ステップＳ２）。ここで、演算制御部７は、カードリーダー６が受信した機能情報に含まれるカード種別情報に基づいて第１非接触ＩＣカードＢ及び第２非接触ＩＣカードＣ両方から機能情報を受信した否か判定する。
【００５１】
演算制御部７は、カードリーダー６が第１非接触ＩＣカードＢ及び第２非接触ＩＣカードＣ両方から機能情報を受信していない場合（ＮＯの場合）、つまり、第１非接触ＩＣカードＢ及び第２非接触ＩＣカードＣのいずれか一方からしか機能情報を受信していない場合、該機能情報によって示される機能に必要なモジュールを省電力モードから復帰させる（ステップＳ３）。
【００５２】
例えば、演算制御部７は、図４（ａ）に示すように、第１非接触ＩＣカードＢのみからコピー機能を示す機能情報を受信した場合には、コピー機能に必要なジュール、つまり、操作表示部１、画像読取部２、画像データ記憶部３及び画像形成部４を省電力モードから復帰させる。また、演算制御部７は、第２非接触ＩＣカードＣのみから機能情報を受信した場合にも、該機能情報によって示される機能に必要なモジュールを省電力モードから復帰させる。
【００５３】
一方、演算制御部７は、第１非接触ＩＣカードＢ及び第２非接触ＩＣカードＣ両方から機能情報を受信した場合（ＹＥＳの場合）、第２非接触ＩＣカードＣから受信した機能情報によって示される機能のみに必要なモジュールを省電力モードから復帰させる（ステップＳ４）。例えば、演算制御部７は、図４（ｂ）に示すように、第１非接触ＩＣカードＢからコピー機能を示す機能情報を受信し、第２非接触ＩＣカードＣからスキャン機能を示す機能情報を受信した場合には、スキャン機能に必要なジュール、つまり、操作表示部１、画像読取部２及び画像データ記憶部３を省電力モードから復帰させる。
【００５４】
上述したように、第１非接触ＩＣカードＢは、社員証等の常にユーザーが携帯するカードであり、ユーザーにとって最も使用頻度の高い機能が記憶されている。つまり、ユーザーが、最も使用頻度の高い機能を使用する場合、第１非接触ＩＣカードＢのみを携帯した状態で、複合機Ａに接近することによって、当該機能に必要なモジュールが省電力モードから復帰する。
【００５５】
一方、第２非接触ＩＣカードＣは、各ユーザーが常に携帯するカードではなく、例えば、各部署で共有して使用される各機能に対応して用意されたカードである。ユーザーが、第１非接触ＩＣカードＢに記憶されている機能以外を使用する場合には、これから使用する機能を示す機能情報が記憶された第２非接触ＩＣカードＣを携帯した状態で、複合機Ａに接近することによって、これから使用される機能に必要なモジュールが省電力モードから復帰する。
【００５６】
このような本実施形態によれば、複合機Ａで実現される複数の機能のうちのいずれかの機能を示す機能情報を記憶し、複合機Ａのカードリーダー６と通信可能な距離である場合には、機能情報をカードリーダー６に送信する第１非接触ＩＣカード及び第２非接触ＩＣカードＣと、カードリーダー６が第１非接触ＩＣカードＢ及び第２非接触ＩＣカードＣの少なくとも一方から機能情報を受信すると、機能情報によって示される機能に必要なモジュールを省電力モードから復帰させる複合機Ａとを具備することによって、ユーザーによって使用される見込みである機能のみ、省電力モードから復帰させ、消費電力を極力少なくすることができる。
【００５７】
以上、本発明の実施形態について説明したが、本発明は上記実施形態に限定されることなく、例えば以下のような変形が考えられる。
（１）上記実施形態は、例えば、複数の第２非接触ＩＣカードＣから機能情報を受信した場合には、複数の第２記憶装置から受信した機能情報によって示される全ての機能に必要なモジュールを省電力モードから復帰させるようにしてもよい。
【００５８】
（２）上記実施形態において、第１非接触ＩＣカード及び第２非接触ＩＣカードＣの機能情報は、書き換え可能であってもよい。つまり、第１非接触ＩＣカード及び第２非接触ＩＣカードＣに記憶される機能情報については、ユーザーの要望に応じて書き換えるようにしてもよい。
【符号の説明】
【００５９】
Ａ…複合機（画像形成装置）、１…操作表示部、２…画像読取部、３…画像データ記憶部、４…画像形成部、５…通信部、６…カードリーダー（無線通信手段）、７…演算制御部（制御手段）、１１…操作表示制御部、１２…操作キー、１３…タッチパネル、２０…ＡＤＦ、３０…フラットベッド読取部、４１…ベルトローラー、４２…中間転写ベルト、４３Ｙ，４３Ｃ，４３Ｍ，４３Ｋ…画像形成ユニット、４４Ｙ，４４Ｃ，４４Ｍ，４４Ｋ…１次転写ローラー、４５…給紙カセット、４６…ピックアップローラー、４７…搬送ローラー、４８…レジストローラー、４９…２次転写ローラー、５０…分離除電部、５１…定着ローラー、５２…排紙ローラー、５３…排紙トレイ、５４…反転ローラー、５５…分岐ガイド、５６…反転紙搬送ローラー、５７…記録紙センサー、ａｙ，ａｍ，ａｃ，ａｋ…感光体ドラム、ｂｙ，ｂｍ，ｂｃ，ｂｋ…帯電部、ｃｙ，ｃｍ，ｃｃ，ｃｋ…レーザースキャニングユニット、ｄｙ，ｄｍ，ｄｃ，ｄｋ…現像ユニット、ｅｙ，ｅｍ，ｅｃ，ｅｋ…クリーナー、４１ａ…駆動ローラー、４１ｂ…従動ローラー、４１ｃ…テンションローラー、５１ａ…加熱ローラー、５１ｂ…加圧ローラー、Ｒ…記録紙、Ｂ…第１非接触ＩＣカード（第１記憶装置）、Ｃ…第２非接触ＩＣカード（第２記憶装置）
【図１】
2015032901.tif 000003
【図２】
2015032901.tif 000004
【図３】
2015032901.tif 000005
【図４】
2015032901.tif 000006